(57)【特許請求の範囲】
【請求項１】
ゴルフシューズアウトソールにおいて、
当該アウトソールの底表面にモールドされた複数のポッドセクションを有し、
これらポッドセクションの各々は、クリートを取り付けるための受け口を有し、
上記アウトソールのミーディアル側部（内側部）に近いポッドセクションの各々の壁部は、上記アウトソールの上記底表面のミーディアル側エッジにおいて、当該エッジから斜め外側に伸び、
上記アウトソールのラテラル側部（外側部）に近いポッドセクションの各々の壁部は、上記アウトソールの上記底表面のラテラル側エッジにおいて、当該エッジから斜め外側に伸び、
シューズがより顕著な柔軟性と芝に対する摩擦とを伴い、もって、ユーザにより顕著な安定性およびバランスを付与することを特徴とするゴルフシューズアウトソール。
【請求項２】
上記アウトソールは、中足骨領域断面およびヒール領域断面を有し、
上記中足骨領域断面の幅の上記アウトソールの長さに対する比が０．３７５であり、上記中足骨領域断面における上記ポッドセクションの壁の斜めに伸びる角度は、上記アウトソールの上記ミーディアル側エッジにおいて垂直から５２°であり、上記アウトソールの上記ラテラル側エッジにおいて垂直から５１°であり、
上記ヒール領域断面の幅の上記アウトソールの長さに対する比が０．３３３であり、上記ヒール領域断面における上記ポッドセクションの壁の斜めに伸びる角度は、上記アウトソールの上記ミーディアル側エッジにおいて垂直から２２°であり、上記アウトソールの上記ラテラル側エッジにおいて垂直から３４°である請求項１記載のゴルフシューズアウトソール。
【発明の詳細な説明】
【技術分野】
【０００１】
この発明は、ゴルフシューズに向けられている。より具体的には、この発明は、フレアー上の安定化ポットを用いて柔軟性、バランス、およびトラクションをゴルファーに提供するゴルフシューズに向けられている。
【背景技術】
【０００２】
歴史的には、初めに、人々は足部を守るために靴を履いた。年月を重ね、履物は、具体的な活動に特有の多くの異なるタイプに進化した。したがって、寒冷地の作業ブーツにより提供される防護は、ランニングシューズにより提供される防護と大きく異なる。足部の防護に加えて、競技用履物は固有の競技に依存した特別の機能を実現してきた。例えば、サッカーシューズは滑らないようにスパイクを具備し、他方、サイクリングシューズは非常に堅固なソールを具備し、ペダルと係合するクリート用に取付板を備える。このような態様で、ゴルフシューズは、進化して、それを履いている人に良好な芝の上での摩擦を与え、歩いているときの心地よさを与え、ボールを打撃するための安定した土台をなす。このタイプのゴルフシューズは金属スパイクまたはプラスチッククリートを備えた比較的堅固なソールを有していた。
【０００３】
堅固なソールは安定した土台を実現する一方で、それでも、不快感をもたらす。なぜならば、足部（ｆｏｏｔ）をどの程度動かすことができるようにするかということと、足部をどの程度支持するかということの間にトレードオフがあるからである。このことの一例は、歩いている間、およびゴルフスイングの初めと終わりに、足部は中足関節（ボール）で屈曲するという事実である。顕著に硬いソール（これは木靴を履いているときのような「格好が悪い」足どりをもたらすであろう）を曲げるために必要な物理的な努力とは別に、ソールが硬いと、ヒールカップにおいて、足部のヒールが上下に滑る傾向があり、靴擦れを起こしやすい。関節領域に渡って屈曲して、良好な打撃をなす横方向の安定性を危うくすること無しにそれが移動できるようにソールを伴うように、ゴルフシューズは進化してきた。
【０００４】
比較的新たな生体工学における研究は、人間が移動するときに足部の２６個の骨が相対的に動くような良好な程度を求めてきた。認識されてきた１つの具体的な動きは足部の長軸の回りの捩じれ動作である。実際、足部の前方および足部の後方は相対的に捩じれる。この動きは、足部と地面との接触を円滑にし、地面との衝撃を低減し、さらにより良好な地面との接触を実現すると考えられる。このような観察により、このような自然な動作を可能にするゴルフシューズの開発がもたらされた。
【０００５】
米国特許第３，５５０，５９７号は、前方および後方の主リフトセクションが、平坦な捩じればねの形態に捩じられる弾力のある中間セクションに堅固に結合される平坦構造物を用いることにより足部の自然の回転動作を容易にする装置を開示する。この装置は、使用時に形成可能な捩じれ動作を利用し、これがリフトセクションにより足部に印加され、これにより、足部の踵が内側サイドにおいて上方に力を受け、足部前方が外側サイドで上方に押し上げられ、足部の自然な捩じれ動作と類似の捩じれ動作を実現する。
【０００６】
シューズを履いた人を著しくサポートすることを意図する他の構造が米国特許第５，９２６，９７４号（Ｆｒｉｔｏｎ）に開示されている。Ｆｒｉｔｏｎのシューズはゴルフように設計されたものではなくハイキング用のものである。これは、摩擦用にポッドおよびラグ（つまみ）を用いることを開示し、これらは組合わさって不規則な地面での大きな摩擦を実現する。しかしながら、この特許の教示するところは、ゴルフシューズに必要とされる典型的なものである。'９７４特許は、比較的柔らかく、広がって、圧縮クッションとして働き、摩擦を改善する為に地面との接触面積を増大させる複数のポッドおよびラグを開示し、これは岩山羊の蹄が作用するのと同様である。この発明は、完全に異なる地形に対処するように比較的硬いポッドを採用する。
【０００７】
個々の足部の動き、特に、履いている人の足部の足部後方と足部前方の間の回転、足部に渡る屈曲を可能にし、さらに足部の中足骨を横切る方向のみでなくそれに沿った長さ方向にも屈曲も実現するシューズの性能を提供するゴルフシューズの改良されたアウトソールに対する要望が依然としてある。
【先行技術文献】
【特許文献】
【０００８】
【特許文献１】米国特許第３，５５０，５９７号明細書
【特許文献２】米国特許第５，９２６，９７４号明細書
【発明の概要】
【０００９】
この発明は、全体として柔らかい前方部分と全体として硬いヒール部分（後方部分）とを有し、これら部分の各々がその上にモールドされた複数のポッドセクションを有し、好ましくは８個の分離されたポッドセクションを有し、各々のポッドセクションがこれに結合される少なくとも１つのクリートを伴う、ゴルフシューズアウトソールを提供する。各ポッドセクションは、従来見受けられるどのようなシューズと較べても極めて顕著に広がっている外側エッジすなわち周囲を具備する。劇的に広がっている角度の目的は、それが設けられてゴルフシューズがより顕著な柔軟性および芝に対する摩擦（トラクション）を伴い、もってユーザにより顕著な安定性およびバランスを提供することである。
【００１０】
１実施例は、当該アウトソールの中足骨領域で０．３７５の幅の長さに対する比を実現する。アウトソールのＣ１−Ｃ２の断面ではその比は０．３６５であり、Ｄ１−Ｄ２の断面ではその比は依然０．３３３である。
【００１１】
この発明の１実施例はポッドセクションの外側エッジで垂直からから５２°までの角度で広がるアウトソールを提供する。ポッドセクションは９５の最小ショアＡ硬度を伴い、当該アウトソールの底面から最小で６．３ｍｍ伸びる。アウトソールの前方部分は比較的柔らかい熱可塑性ポリウレタンで製造され、その硬度は７５〜８５ショアＡである。
【００１２】
この発明の特徴の理解を容易にするために、以下の図面が提供される。
【図面の簡単な説明】
【００１３】
【図１】この発明のアウトソールの右側の側面図である。
【図２】この発明の底面図である。
【図３】この発明のアウトソールの幅の長さに対する比を示す平面図である。
【図４】アウトソールの底の斜視図である。
【図５】アウトソールの底の他の斜視図である。
【図６】図２のＢ１−Ｂ２線の沿うアウトソールの断面図である。
【図７】図２のＣ１−Ｃ２線の沿うアウトソールの断面図である。
【図８】図２のＤ１−Ｄ２線の沿うアウトソールの断面図である。
【発明を実施するための形態】
【００１４】
ゴルフのアウトソール３０が図１〜図８に示される。ゴルフシューズの他の部分は示されないけれども、通常、アッパー部分、および、ミッドソールを含み、ミッドソールはアッパー部分およびアウトソールの間にサンドイッチ状態となる。ゴルフシューズは通常ではクリート（滑り止め）を伴い、これは金属または非金属であって良く、この発明の説明においては、非金属のクリートのみが採用されることを仮定する。ゴルフシューズのアッパー部分は適切なアッパー材料、例えば皮または同様なものから形成される。ミッドソールは、履いている者に、クッション効果を与え、通常、エチレンビニルアセテートコポリマー（ＥＶＡ）のような材料によって形成される。ミッドソールはアウトソール３０の上または回りに形成されて良いけれども、アウトソール３０とは個別に製造されて良く、例えば、接着剤によりアウトソール３０に結合される。アウトソール３０はゴルフシューズの底の実質的な部分を形成する。シューズのアッパー部分は好ましくはセメントやその他の接着剤でインソールボードおよび当業者に公知である慣用的な手法を用いてミッドソールに好ましくは取り付けられる。
【００１５】
この発明の１実施例は改良されたアウトソール３０を有し、これは比較的硬い熱可塑性ポリウレタン（ＴＰＵ）のポッドセクション３１ａ〜３１ｅを含み、これらポッドセクション３１ａ〜３１ｅは比較的柔らかく屈曲可能なＴＰＵの前方部分３２にモールドされている。ポッドセクション３１ｇ〜３１ｈはシューズのヒール部分（後方部分）３５にモールドされている。ポッドセクションおよび足部の部分は図２〜図５に示される。ポッドセクションの各々は芝把持用のクリート（図示しない）を着脱するためのリセプタクル（受け口）３３を含む。クリートリセプタクルはクリート装着に４５°の時計方向の回転しか必要とせず、取り外しに反対方向の４５°の回転しか必要としない。芝把持用のクリートはゴルファーに増大した摩擦およびバランスを提供でき、これは、とくにゴルファーがゴルフショットを行うときに顕著である。ポッドおよびクリートの数は、シューズのタイプに左右されるけれども、好ましくはシューズの各々に設けられるポッドの数は７個から９個の間であり、好ましくは、添付図面に示されるように９個であり、前方部分３２に５個あり、後方部分３５に４個ある。多くのゴルフコースでは現在ではそれをコースプレイの条件としているので、クリートは好ましくは非金属製である。アーチ支持シャンク部分３４はアーチからアウトソール３０の後方部分３５へと伸びる。
【００１６】
好ましい実施例において、前方部分３２は台湾のＵＲＥ−ＴＥＣＨ  ＣＯ．ＬＴＤによりＵｔｅｃｈｌｌａｎ  ＵＴＹ−７５Ａ−８５Ａの名称で製造されている、約７５から８５ショアＡのデュロメータ硬度の熱可塑性ポリウレタンのような柔軟性のあるプラスチック材料から形成されて良い。ポッドセクション３１ａ〜３１ｈはＵＲＥ−ＴＥＣＨにより製造され少なくとも９５Ａの硬度を伴う比較的硬く、耐摩耗性のあるポリウレタン材料から製造される。ポッドセクション３１ａ〜３１ｈの各々の外側端部は、前方部分３２または後方部分３５の底表面から少なくとも６．３ｍｍの最小距離だけ伸びる。ポッドセクション３１ａ〜３１ｈは、図２〜図６に最も良く示されるように可変ディメンジョンであり、離間され、前方部分３２が中足骨領域に渡って屈曲できるようにしている。先に説明したように、各ポッドは取り外し可能な態様でクリートを取り付けており、これが摩擦手段を構成し、これは複数の比較的硬い突起３６により補充され、この突起３６は各ポッドの底面から突出する。アーチ支持シャンク３４は硬度が少なくとも９５の硬いプラスチックから製造される。
【００１７】
この発明の創造性のある改良はポッドセクション３１ａ〜３１ｈの新規な構造に見いだされ、とくに、それらの外側表面がアウトソールの通常の輪郭であるところから広がり出ている態様にある。これによって、ポッドセクション３１ａ〜３１ｈはゴルフスイング時に顕著な安定性および支持を実現できる。これはとくに地面の状況が湿っていたり、柔らかいときに当てはまる。この目的は、ゴルファーが地面により結合でき、右足部（スイングについてのすべての注釈は右利きのゴルファーを仮定したものである）の外側の転がりを阻止することができる。この発明は、バックスイング時にふらつく傾向があるゴルファーに顕著な安定性を与え、また、これはゴルファーの右側から左側への重量の移動をより安定させ、フォロースルーの完了までのすべてにおいてより多くのバランスを付与する。シューズの幅は、全長との関係で、ゴルフスイングの間の安定性を実現する決定的なパラメータの１つである。この発明のシューズでは、アウトソール３０のキーとなる位置のすべてで幅の深さに対する比が大きい。図２および図３は、外側方向に広がる（ｆｌａｒｅ）ポッドセクションによりアウトソールにどれだけ過剰な幅が付与されているかを示す。典型的な９．５Ｍサイズのシューズについて、図２〜図３および図６〜図８に示されるように、シューズの長さＬは３０４．８ｍｍであり、断面線Ｂ１−Ｂ２を横切る幅ＸＢは１１４．３ｍｍであり、Ｘ／Ｌ比は０．３７５である。断面Ｃ１−Ｃ２の位置でシューズの幅ＸＣは１１１．１ｍｍでＸ／Ｌ比は０．３６５であり、断面Ｄ１−Ｄ２の位置でシューズの幅ＸＤは１０１．６ｍｍで、Ｘ／Ｌ比は０．３３３である。この比はシューズの中足骨領域でより大きく、この領域はゴルフスイング中の安定性に最も決定的な場所である。
【００１８】
この発明のゴルフシューズにおいて安定性を実現するために、アウトソールはポッドセクション３１ａ〜３１ｈを有し、これらはその外側周囲を垂直から角度付けて広がらせており、これは図６〜図８に最も良く示される。図６において、ポッドセクション３１ｂは垂直から５２°で広がっており、その垂直高さは９．１ｍｍであり、他方、ポッドセクション３１ｃは垂直から５１°で広がっており、その垂直高さは１０．８ｍｍである。図７において、ポッドセクション３１ｄは垂直から３３°で広がりを示し、その垂直高さは１１．４ｍｍであり、他方、ポッドセクション３１ｅは垂直から４４°で広がる外側エッジを伴い、その垂直高さは１１．２ｍｍである。図８は、垂直から２４°で広がっており、その垂直高さが２２．１ｍｍであるポッドセクション３１ｆを示し、他方、ポッドセクション３１ｇは垂直から３４°で広がっており、その垂直高さは２２．０ｍｍである。いくつかの競技用シューズは若干の広がりを有することは知られているけれども、これらのシューズでは広がりはヒール領域に限定され、ポッドセクションから広がるものは決してなく、またこの発明の広がり角度（ｆｌａｒｅ  ａｎｇｌｅ）に接近する広がり角度もない。
【００１９】
ここで開示されたこの発明は上述の目的を満たすように設計されていることは明らかであるけれども、当業者が変形令や実施例を実現できることは容易に理解できる。例えば、先に検討したアウトソールおびそのための他の機構をゴルフシューズ以外の他のタイプのシューズに採用しても良い。添付の特許請求の範囲は、この発明の趣旨および範囲内である変形例や実施例をカバーすることは明らかである。
【００２０】
なお、図２の断面線Ｂ１−Ｂ２、Ｃ１−Ｃ２、Ｄ１−Ｄ２は図示のとおりであるけれども、代替的には、中足骨領域、土踏まずの直前（つま先側）、および土踏まずの直後（ヒール側）の断面線に相当してよい。
なお、ここで開示した技術的特徴を以下に列挙する。ここで、アウトソールまたはシューズの両側部のうち、身体の中心（重心）の垂線の足に近い側部をミーディアル側（内側）の側部と呼び、この垂線の足から遠い側部をラテラル側（外側）の側部と呼ぶ。
［技術的特徴１］
ゴルフシューズアウトソールにおいて、
当該アウトソールの底表面にモールドされた複数のポッドセクションを有し、
上記ポッドセクションの各々は広がりのある外側周囲を伴い、
シューズがより顕著な柔軟性と芝に対する摩擦とを伴い、もって、ユーザにより顕著な安定性およびバランスを付与することを特徴とするゴルフシューズアウトソール。
［技術的特徴２］
上記アウトソールの中足骨領域の断面線（Ｂ１−Ｂ２）で測定した幅の長さに対する比が０．３７５である技術的特徴１記載のゴルフシューズアウトソール。
［技術的特徴３］
上記断面線（Ｂ１−Ｂ２）の位置のポッドセクションは上記アウトソールの内側エッジ側（ミーディアル側）で５２°の角度で広がり、上記アウトソールの外側エッジ側（ラテラル側）で５１°の角度で広がる技術的特徴２記載のゴルフシューズアウトソール。
［技術的特徴４］
上記アウトソールの土踏まずの直前領域の断面線（Ｃ１−Ｃ２）で測定した幅の長さに対する比が０．３６５である技術的特徴１記載のゴルフシューズアウトソール。
［技術的特徴５］
上記断面線（Ｃ１−Ｃ２）の位置のポッドセクションは上記アウトソールの内側エッジ側（ミーディアル側）で３３°の角度で広がり、上記アウトソールの外側エッジ側（ラテラル側）で４４°の角度で広がる技術的特徴４記載のゴルフシューズアウトソール。
［技術的特徴６］
上記アウトソールの土踏まずの直後領域の断面線（Ｄ１−Ｄ２）で測定した幅の長さに対する比が０．３３３である技術的特徴１記載のゴルフシューズアウトソール。
［技術的特徴７］
上記断面線（Ｄ１−Ｄ２）の位置のポッドセクションは上記アウトソールの内側エッジ側（ミーディアル側）で２２°の角度で広がり、上記アウトソールの外側エッジ側（ラテラル側）で３４°の角度で広がる技術的特徴６記載のゴルフシューズアウトソール。
［技術的特徴８］
上記ポッドセクションは９５の最小ショアＡ硬度を伴う技術的特徴１記載のゴルフシューズアウトソール。
［技術的特徴９］
上記ポッドセクションはベース部分の底面から少なくとも６．３ｍｍだけ伸びる技術的特徴１記載のゴルフシューズアウトソール。
［技術的特徴１０］
前方部分は７５から８５ショアＡの硬度の比較的薄い、柔軟性のある熱可塑性ポリウレタンから製造される技術的特徴１記載のゴルフシューズアウトソール。
［技術的特徴１１］
上記ポッドセクションの各々はクリートを着脱するための手段を伴うリセプタクルを有し、この手段は装着に４５°の時計方向の回転のみ必要であり、取り外しに４５°の反時計回り方向の回転を必要とする技術的特徴１記載のゴルフシューズアウトソール。
［技術的特徴１２］
前方部分に５個のポッドセクションがモールドされ、後方部分に４個のポッドセクションがモールドされる技術的特徴１記載のゴルフシューズアウトソール。
［技術的特徴１３］
ゴルフシューズアウトソールにおいて、
当該アウトソールの底表面にモールドされ、当該底表面から最小で６．３３ｍｍ伸びる複数のポッドセクションを有し、
上記ポッドセクションの各々は広がりのある外側周囲を伴い、
シューズがより顕著な柔軟性と芝に対する摩擦とを伴い、もって、ユーザにより顕著な安定性およびバランスを付与することを特徴とするゴルフシューズアウトソール。
［技術的特徴１４］
上記アウトソールの中足骨領域の断面線（Ｂ１−Ｂ２）で測定した幅の長さに対する比が０．３７５である技術的特徴１３記載のゴルフシューズアウトソール。
［技術的特徴１５］
上記アウトソールの中足骨領域の断面線（Ｂ１−Ｂ２）の位置のポッドセクションは上記アウトソールの内側エッジ側（ミーディアル側）でその垂直高さは０．９１ｍｍであり、５２°の角度で広がり、上記アウトソールの外側エッジ側（ラテラル側）でその垂直高さが１０．８ｍｍであり、５１°の角度で広がる技術的特徴１４記載のゴルフシューズアウトソール。
［技術的特徴１６］
上記アウトソールの土踏まずの直前領域の断面線（Ｃ１−Ｃ２）で測定した幅の長さに対する比が０．３６５である技術的特徴１３記載のゴルフシューズアウトソール。
［技術的特徴１７］
上記断面線（Ｃ１−Ｃ２）の位置のポッドセクションは上記アウトソールの内側エッジ側（ミーディアル側）でその垂直高さが１１．４ｍｍであり、３３°の角度で広がり、上記アウトソールの外側エッジ側（ラテラル側）でその垂直高さが１１．２であり、４４°の角度で広がる技術的特徴１６記載のゴルフシューズアウトソール。
［技術的特徴１８］
上記アウトソールの土踏まずの直後領域の断面線（Ｄ１−Ｄ２）で測定した幅の長さに対する比が０．３３３である技術的特徴１３記載のゴルフシューズアウトソール。
［技術的特徴１９］
上記断面線（Ｄ１−Ｄ２）の位置のポッドセクションは上記アウトソールの内側エッジ側（ミーディアル側）でその垂直高さが２２．１であり、２４°の角度で広がり、上記アウトソールの外側エッジ側（ラテラル側）でその垂直高さが２２．０ｍｍであり、３４°の角度で広がる技術的特徴６記載のゴルフシューズアウトソール。
【符号の説明】
【００２１】
３１ａ〜３１ｈ    ポッドセクション
３０    アウトソール
３２    前方部分
３４    アーチ支持シャンク部分
３５    後方部分
３６    突起
【図１】
0005620944.tif 000002
【図２】
0005620944.tif 000003
【図３】
0005620944.tif 000004
【図４】
0005620944.tif 000005
【図５】
0005620944.tif 000006
【図６】
0005620944.tif 000007
【図７】
0005620944.tif 000008
【図８】
0005620944.tif 000009